(57)【要約】【課題】一眼レフのレンズ鏡筒に対する貼り付け強度を向上するとともに、防犯機能を向上することができる防犯センサを提供する。【解決手段】防犯センサ１は、一眼レフカメラのレンズ鏡筒に取り付けられる。スイッチ回路は、底面２Ａの開口から外部へ突き出す方向に付勢された突出体４Ａを有し、突出体４Ａがレンズ鏡筒の外周側面に当接した状態と、レンズ鏡筒との当接状態が解除されて突出体４Ａが底面２Ａからさらに突き出した状態とで導通／切断状態を切り替える。筐体２は、スイッチ回路を収容し、レンズ鏡筒の外周側面にシールで貼り付けられ開口が設けられた底面２Ａを有する。ハネ部３は、筐体２の底面２Ａの長手方向両端に一端が連結され、可撓性を有し、長手方向に延びる細長板状の部材である。ハネ部３は、その湾曲曲率をレンズ鏡筒に沿って変更可能で、その底面３Ａでレンズ鏡筒に接触可能である。【選択図】図２
0003213086.tif 000002
【実用新案登録請求の範囲】
【請求項１】
一眼レフカメラのレンズ鏡筒に取り付けられる防犯センサであって、
前記レンズ鏡筒の外周側面にシールで貼り付けられ開口が設けられた底面を有する筐体と、
前記筐体に収容され、前記底面の開口から外部へ突き出す方向に付勢された突出体を有し、前記突出体が前記レンズ鏡筒の外周側面に当接した状態と、前記レンズ鏡筒との当接状態が解除されて前記突出体が前記底面からさらに突き出した状態とで導通／切断状態を切り替えるスイッチ回路と、
前記筐体の底面の長手方向両端に一端が連結され、可撓性を有し、前記長手方向に延びる細長板状のハネ部と、
を備え、
前記ハネ部は、その湾曲曲率を前記レンズ鏡筒に沿って変更可能で、その底面で前記レンズ鏡筒に接触可能である、
防犯センサ。
【請求項２】
前記底面の形状は長方形状であり、
前記レンズ鏡筒の外周側面において段差がない部分の光軸方向に関する幅よりも、前記底面の短辺が短くなるように規定されている、
請求項１に記載の防犯センサ。
【請求項３】
前記スイッチ回路は、
前記筐体からの前記突出体の突き出し量が０以上所定の長さ以下であれば同じ状態を維持し、突き出し量が前記所定の長さを超えれば導通／切断状態を切り替える、
請求項１又は２に記載の防犯センサ。
【請求項４】
前記ハネ部は、前記筐体に対して脱着可能である、
請求項１から３のいずれか一項に記載の防犯センサ。
【請求項５】
前記筐体の上面に前記レンズ鏡筒と前記筐体とを結束する結束バンドを係止する凹部が設けられている、
請求項１から４のいずれか一項に記載の防犯センサ。
【考案の詳細な説明】
【技術分野】
【０００１】
本考案は、防犯センサに関する。
【背景技術】
【０００２】
従来より、商品にシールで貼り付けるタイプの防犯センサが、展示される商品の盗難防止に用いられている（例えば、特許文献１参照）。レンズ鏡筒は極めて高額であり、小さいため、盗難され易いため万引きされ易い商品の１つである。家電量販店では、レンズ鏡筒は、単体で展示されたり、一眼レフカメラ本体に接続された状態で展示されたりしている。
【０００３】
一眼レフカメラのレンズ鏡筒では、外周側面に設けられた操作部を回転させることで、ピントの調節や倍率の変更が行われる。そのため、操作し易いようにゴム素材若しくは表面に凹凸が形成された樹脂が滑り止めとしてレンズ鏡筒の外周側面の６〜８割を覆っている。したがって、レンズ鏡筒の外周側面に防犯センサをシールで貼り付けようとしても、接着面積が足りず、貼り付け強度を保持するのが困難になる。
【０００４】
また、一眼レフカメラのレンズ鏡筒は円筒形であり、一眼レフカメラによってレンズ鏡筒の径はまちまちである。防犯センサに用いられるセンサスイッチは、基板やバネ機構を部品として用いているので、センサスイッチの外殻を、固いＡＢＳ（Acrylonitrile Butadiene Styrene）樹脂で構成された筐体で保護する必要がある。しかし、防犯センサの固いＡＢＳ樹脂で形成された筐体の底面に曲面を持たせると変動する径に対して対応できないし、平面にすると浮きが出てしまう。
【０００５】
浮きを目立たせなくするために、可能な限り小さいセンサスイッチを用いており、貼り付け強度を補完するために、結束バンドで固定しているのが現状である。
【先行技術文献】
【特許文献】
【０００６】
【特許文献１】特開２０００−１３２７５６号公報
【考案の概要】
【考案が解決しようとする課題】
【０００７】
しかしながら、上述のような防犯センサは、凹凸のある面に付けると誤検出しやすくなる。また、結束バンドを使用すると、商品としてのレンズ鏡筒の見栄えが低下する。また、広角系の薄型レンズでは、取付可能な場所が少ないという実情がある。
【０００８】
本考案は、上記実情に鑑みてなされたものであり、一眼レフのレンズ鏡筒に対する貼り付け強度を向上するとともに、防犯機能を向上することができる防犯センサを提供することを目的とする。
【課題を解決するための手段】
【０００９】
上記目的を達成するために、本考案に係る防犯センサは、
一眼レフカメラのレンズ鏡筒に取り付けられる防犯センサであって、
前記レンズ鏡筒の外周側面にシールで貼り付けられ開口が設けられた底面を有する筐体と、
前記筐体に収容され、前記底面の開口から外部へ突き出す方向に付勢された突出体を有し、前記突出体が前記レンズ鏡筒の外周側面に当接した状態と、前記レンズ鏡筒との当接状態が解除されて前記突出体が前記底面からさらに突き出した状態とで導通／切断状態を切り替えるスイッチ回路と、
前記筐体の底面の長手方向両端に一端が連結され、可撓性を有し、前記長手方向に延びる細長板状のハネ部と、
を備え、
前記ハネ部は、その湾曲曲率を前記レンズ鏡筒に沿って変更可能で、その底面で前記レンズ鏡筒に接触可能である。
【００１０】
この場合、前記底面の形状は長方形状であり、
前記レンズ鏡筒の外周側面において段差がない部分の光軸方向に関する幅よりも、前記底面の短辺が短くなるように規定されている、
こととしてもよい。
【００１１】
また、前記スイッチ回路は、
前記筐体からの前記突出体の突き出し量が０以上所定の長さ以下であれば同じ状態を維持し、突き出し量が前記所定の長さを超えれば導通／切断状態を切り替える、
こととしてもよい。
【００１２】
前記ハネ部は、前記筐体に対して脱着可能である、
こととしてもよい。
【００１３】
前記筐体の上面に前記レンズ鏡筒と前記筐体とを結束する結束バンドを係止する凹部が設けられている、
こととしてもよい。
【考案の効果】
【００１４】
本考案によれば、筐体の両端にレンズ鏡筒に沿って折れ曲がり、レンズ鏡筒とシールで接着されるハネ部が設けられているので、筐体の底面の大きさを小さくし、レンズ鏡筒からの浮きを最小限に抑えつつ、レンズ鏡筒との接着面積を大きくすることができる。このため、一眼レフカメラのレンズ鏡筒に対する貼り付け強度を向上するとともに、防犯機能を向上することができる。
【図面の簡単な説明】
【００１５】
【図１】本考案の実施の形態１に係る防犯センサがレンズ鏡筒に取り付けられている様子を示す図である。
【図２】図２（Ａ）及び図２（Ｂ）は、図１の防犯センサの斜視図である。
【図３】図３（Ａ）は、筐体の上蓋の斜視図である。図３（Ｂ）は、筐体の本体の斜視図である。図３（Ｃ）は、ハネ部の構成を示す斜視図である。図３（Ｄ）は、防犯センサ全体の斜視図である。
【図４】図４（Ａ）は、突出体の底面からの突き出し量が０である場合の防犯センサの構造を模式的に示す断面図である。図４（Ｂ）は、突出体の底面からの突き出し量がＬである場合の防犯センサの構造を模式的に示す断面図である。図４（Ｃ）は、突出体の底面からの突き出し量がＬを超えた場合の防犯センサの構造を模式的に示す断面図である。
【図５】ハネ部が筐体から取り外された状態を示す斜視図である。
【図６】ハネ部がない状態の防犯センサを示す斜視図である。
【図７】結束バンドを用いてレンズ鏡筒に装着される様子を示す斜視図である。
【考案を実施するための形態】
【００１６】
以下、本考案の実施の形態について、図面を参照して詳細に説明する。
【００１７】
図１に示すように、防犯センサ１は、一眼レフカメラのレンズ鏡筒１０に取り付けられる。図２（Ａ）に示すように、防犯センサ１は、筐体２と、一対のハネ部３と、ケーブル（コード）５と、を備える。ケーブル５は、後述するスイッチ回路４（図４（Ａ）〜図４（Ｃ）参照）と接続された信号線である。
【００１８】
図２（Ｂ）に示すように、筐体２の底面２Ａと、ハネ部３の底面３Ａとは、面一で繋がっており、それぞれシール（両面テープ）によってレンズ鏡筒１０に貼り付けられる。筐体２は、ＡＢＳ樹脂から形成されているため、堅牢である。ハネ部３は、エラストマ樹脂から形成されているので、可撓性を有する。
【００１９】
図３（Ａ）及び図３（Ｂ）に示すように、筐体２は、上蓋２Ｂと、本体２Ｃとを備える。本体２Ｃには内部空間２Ｄが設けられている。上蓋２Ｂが内部空間２Ｄの上部を覆うように本体２Ｃの上部に取り付けられることにより、筐体２が構成される。本体２Ｃの底面２Ａの中央部には、内部空間２Ｄと外部とを連通する開口２Ｅが設けられている。
【００２０】
筐体２の内部空間２Ｄには、図４（Ａ）、図４（Ｂ）及び図４（Ｃ）に示すように、スイッチ回路４が収容されている。スイッチ回路４には、筐体２の底面２Ａの開口２Ｅから外部へ突き出す方向に付勢された突出体４Ａを有している。スイッチ回路４は、突出体４Ａがレンズ鏡筒１０の外周側面に当接した状態と、レンズ鏡筒１０との当接状態が解除されて突出体４Ａが底面２Ａからさらに突き出した状態とで導通／切断状態を切り替える。
【００２１】
図４（Ａ）に示すように、スイッチ回路４は、突出体４Ａに加え、バネ部４Ｂ、接点４Ｃ、４Ｄ、信号線４Ｅ，４Ｆを備える。バネ部４Ｂは、突出体４Ａを筐体２の底面２Ａの開口２Ｅから外部へ突き出す方向に押している。接点４Ｃ，４Ｄは、突出体４Ａと接触する電極である。突出体４Ａには、接点４Ｃ，４Ｄと接触する場合に、接点４Ｃ，４Ｄを導通させる導電性の部材が設けられている。接点４Ｃ，接点４Ｄと突出体４Ａとが接触していれば、接点４Ｃと接点４Ｄとが導通する。
【００２２】
また、スイッチ回路４では、信号線４Ｅと接点４Ｃとが接続され、信号線４Ｆと接点４Ｄとが接続されている。さらに、信号線４Ｅ，４Ｆは、ケーブル５を介して外部機器に接続されている。外部機器は、信号線４Ｅ、４Ｆが導通しているか否かを検出することにより、防犯センサ１がレンズ鏡筒１０から取り外されたか否かを判定する。
【００２３】
例えば、図４（Ａ）に示すように、突出体４Ａの底面２Ａからの突き出し量が０である場合、突出体４Ａは、接点４Ｃ，４Ｄと接続しており、信号線４Ｅ，４Ｆが導通している。この場合、外部機器は、レンズ鏡筒１０から防犯センサ１が取り付けられたままであると判定する。
【００２４】
また、図４（Ｂ）に示すように、突出体４Ａの底面２Ａからの突き出し量がＬである場合、突出体４Ａは、接点４Ｃ，４Ｄと接続しており、信号線４Ｅ，４Ｆが導通している。この場合、外部機器は、レンズ鏡筒１０から防犯センサ１が取り付けられたままであると判定する。Ｌは例えば１ｍｍであるが、これに限定されない。
【００２５】
また、図４（Ｃ）に示すように、突出体４Ａの底面２Ａからの突き出し量がＬを超えた場合、突出体４Ａは、接点４Ｃ，４Ｄと接続しておらず、信号線４Ｅ，４Ｆは非導通となる。この場合、外部機器は、レンズ鏡筒１０から防犯センサ１が取り外されたものと判定する。突出体４Ａの最大突き出し量は、例えば３ｍｍであるが、これに限定されない。
【００２６】
上述のように、突出体４Ａは、筐体２の底面２Ａから外部に突き出している。突出体４Ａは、図４（Ｂ）に示すように、筐体２から突き出す長さが０以上所定の長さＬ以下であればスイッチ回路４は、オン状態を維持し、図４（Ｃ）に示すように、所定の長さＬを超えればスイッチ回路４は、オフになる。
【００２７】
なお、図４（Ａ）、図４（Ｂ）及び図４（Ｃ）に示されるスイッチ回路４の構成はあくまで一例であり、他の構成であっても構わない。
【００２８】
筐体２の底面２Ａの形状は長方形状である。図１に示すように、レンズ鏡筒１０の外周側面において段差がない部分の光軸方向に関する幅よりも、底面２Ａの短辺が短くなるように規定されている。
【００２９】
図３（Ｄ）に示すように、筐体２の底面２Ａの長手方向両端それぞれにハネ部３が設けられている。ハネ部３は、筐体２の底面２Ａの長手方向両端に一端が連結され、可撓性を有し、長手方向に延びる細長板状の部材である。図３（Ｃ）に示すように、ハネ部３の係止部３Ｂが、図３（Ｂ）に示す筐体２の係合部に係止することにより、筐体２とハネ部３との連結が実現される。
【００３０】
ハネ部３は、レンズ鏡筒１０に沿って湾曲曲率を変更可能で、その底面３Ａでレンズ鏡筒１０に接触可能である。これにより、防犯センサ１は、レンズ鏡筒１０の径が変化しても、レンズ鏡筒１０に密着することができる。
【００３１】
ハネ部３は、図５に示すように、筐体２に対して脱着可能である。したがって、図６に示すように、ハネ部３を脱着した状態でも防犯センサ１を使用することができる。
【００３２】
例えば、図７に示すように、筐体２を結束バンド６でレンズ鏡筒１０に縛り付けて使用することができる。この場合、筐体２は、その長手方向をレンズ鏡筒１０の光軸方向に合わせた形で取り付けられる。
【００３３】
結束バンド６は樹脂であるため滑りやすいものの、レンズ鏡筒１０のゴム製の滑り止め部位に取り付けることで外れにくくすることができる。筐体２の上面には、レンズ鏡筒１０と筐体２とを結束する結束バンド６を係止する凹部２Ｇが設けられている。このため、結束バンド６が凹部２Ｇから外れにくくなっている。
【００３４】
以上詳細に説明したように、本実施の形態によれば、筐体２の両端にレンズ鏡筒１０に沿って折れ曲がり、レンズ鏡筒１０とシール（両面テープ）で接着されるハネ部３が設けられているので、筐体２の底面２Ａの大きさを小さくし、レンズ鏡筒１０からの浮きを最小限に抑えつつ、レンズ鏡筒１０との接着面積を大きくすることができる。このため、一眼レフカメラのレンズ鏡筒１０に対する貼り付け強度を向上するとともに、防犯機能を向上することができる。
【００３５】
また、上記実施の形態によれば、筐体２の底面２Ａは、極力細長い長方形状となるように、筐体２が形成されている。レンズ鏡筒１０は、その外周側面に回転つまみ等が設けられているので、その光軸方向に段差が多い。このため、筐体２の底面２Ａの長手方向をレンズ鏡筒１０の外周側面の円周方向に沿って筐体２の底面２Ａをレンズ鏡筒１０に取り付けることにより、極力浮きが出ないようにすることができる。筐体２の底面２Ａの短辺の幅は、内部に収容するスイッチ回路４の幅によるが、スイッチ回路４が収容でき、その剛性を維持することができる幅であればよい。
【００３６】
また、上記実施の形態によれば、スイッチ回路４は、筐体２からの突出体４Ａの突き出し量が０以上所定の長さ以下であれば同じ状態を維持し、突き出し量が所定の長さＬを超えれば導通／切断状態を切り替える。このようにすれば、接着されるレンズ鏡筒１０の外周側面に凹凸があり、突出体４Ａが凹部に当接していたとしても、防犯センサ１がレンズ鏡筒１０から引き剥がされたことを検出することができる。Ｌの長さは、防犯センサ１が取り付けられるレンズ鏡筒１０の凹凸の深さに応じて定めるのが望ましい。
【００３７】
また、上記実施の形態によれば、ハネ部３は、筐体２に対して脱着可能である。筐体２の底面２Ａのみで十分にレンズ鏡筒１０と接着することができる場合は、ハネ部３はなくてもよい。
【００３８】
また、上記実施の形態では、レンズ鏡筒１０が防犯センサ１から取り外された場合に、スイッチ回路４における信号線の導通が切断されるものとしたが、本考案はこれには限られない。レンズ鏡筒１０が防犯センサ１から取り外された場合に、スイッチ回路４における信号線が導通するものとしてもよい。
【００３９】
また、上記実施の形態によれば、筐体２の上面にレンズ鏡筒１０と筐体２とを結束する結束バンド６を係止する凹部２Ｇが設けられている。このようにすれば、結束バンド６が筐体２から外れにくくすることができる。
【００４０】
上記実施の形態では、筐体２は、ＡＢＳ樹脂で形成され、ハネ部３は、エラストマ樹脂で形成されているものとした。しかしながら、本考案はこれには限られない。筐体２は、剛性の高い部材で形成され、ハネ部３が可撓性を有する部材で構成されていればよい。
【００４１】
また、上記実施の形態では、図１に示すように、レンズ鏡筒１０が一眼レフカメラ本体に取り付けられる根元部分に防犯センサ１を取り付けるものとしたが、これには限られない。防犯センサ１は、レンズ鏡筒１０の中央部分や先端部分に取り付けられるようにしてもよい。実際には、レンズ鏡筒１０の外周側面において、凹凸が少ない面の方が、接着力が強いため、そのような位置に取り付けられるのが望ましい。
【００４２】
また、上記実施の形態では、筐体２の幅と、ハネ部３の幅を同じとしたが、本考案はこれには限られない。ハネ部３の幅を、筐体２の幅より狭くするようにしてもよい。
【００４３】
また、上記実施の形態では、スイッチ回路４の突出体４Ａを棒状の部材としたが、本考案はこれには限られない。突出体として板バネ状のものを用いるようにしてもよい。
【００４４】
展示する際の商品の美観の観点からすれば、ケーブル５が上から垂れ下がっているより、下に付けた方が見栄えがよい。また、レンズ鏡筒１０は回転させることでフォーカスを合わるため、防犯センサ１を取り付けるのは適当ではない。一眼レフカメラとレンズ鏡筒１０の接合部は動かないので、レンズ鏡筒１０の下部が防犯センサ１の取り付け位置として適切であると言える。
【００４５】
また、上記実施の形態では、広角系の薄型のレンズ鏡筒にもしっかりと固定することができる。薄型のレンズ鏡筒では、最短のもので幅が約８ｍｍのものがある。このようなレンズ鏡筒にも、本考案を適用可能である。
【００４６】
この考案は、この考案の広義の精神と範囲を逸脱することなく、様々な実施の形態及び変形が可能とされるものである。また、上述した実施の形態は、この考案を説明するためのものであり、この考案の範囲を限定するものではない。すなわち、この考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００４７】
本考案は、一眼レフカメラのレンズ鏡筒の防犯センサとして適用可能である。
【符号の説明】
【００４８】
１  防犯センサ、２  筐体、２Ａ  底面、２Ｂ  上蓋、２Ｃ  本体、２Ｄ  内部空間、２Ｅ  開口、２Ｆ  係合部、２Ｇ  凹部、３  ハネ部、３Ａ  底面、３Ｂ  係止部、４  スイッチ回路、４Ａ  突出体、４Ｂ  バネ部、４Ｃ，４Ｄ  接点、４Ｅ，４Ｆ  信号線、５  ケーブル（コード）、６  結束バンド、１０  レンズ鏡筒
【図１】
0003213086.tif 000003
【図２】
0003213086.tif 000004
【図３】
0003213086.tif 000005
【図４】
0003213086.tif 000006
【図５】
0003213086.tif 000007
【図６】
0003213086.tif 000008
【図７】
0003213086.tif 000009